Podtech/llm-jp-corpus-v4-ja_patent huggingface dataset:
(57)【要約】      （修正有）【課題】イスに座り背もたれにもたれかけた時、前後方向だけではなく、左右方向に対するしなり機能を加えて、完全に人の動きにフィットさせるイスを提供する。【解決手段】背もたれ１の布袋内部は複数の縦長の袋状になっており、複数の四角柱のしなる板材（竹材もしくはしなりのある木、樹脂及びそれに類するもの）をその袋状の中に差し込んで形成されている。背もたれ内部のひとつひとつの四角柱のしなる板材が独立して動く事で、前後方向だけでなく左右方向に対するしなり機能が働き、背中にフィットしながらしなり、自然で適切な背もたれと座の角度を調節できる。【選択図】図１
0003186886.tif 000002
【実用新案登録請求の範囲】
【請求項１】
イス本体と、イス本体に取り付けられる背もたれを備えるイスであって、前記背もたれは四角柱のしなる板材を複数本並べて布でくるんで構成されるイス。
【考案の詳細な説明】
【技術分野】
【０００１】本考案は、イスに関するものである。
【背景技術】
【０００２】従来の背もたれのしなり機能をもつイスは、複雑な金属機構によってしなり機能を実現しているものが多い。この場合、前後方向にしなるが、左右方向に対して体をひねった場合の背中に対応するものは無い。
【先行技術文献】
【特許文献】
【０００３】
【特許文献１】特開２００８−０６１７８３
【非特許文献】
【０００４】
【非特許文献１】株式会社イトーキ  イトーキ総合カタログ２０１２−２０１３  Ｐ３０６
【考案の概要】
【考案が解決しようとする課題】
【０００５】従来の背もたれのしなり機能をもつイスは、複雑な金属機構によって前後方向に対するしなり機能を実現しており、左右方向に対するしなり機能は無く、完全に人の動きにフィットするものでは無かった。本考案は、前後方向だけでなく、左右方向にもしなる背もたれの機構を考え出す事により、その点を解決しようとする為のものである。
【課題を解決するための手段】
【０００６】本考案は、イスの背もたれ部分に、四角柱のしなる板材（竹材もしくはしなりのある木、樹脂及びそれに類するもの）を布で複数本連結した部材を使用する事で、１本ずつのしなる板材が体に沿ってしなる為、前後方向及び左右方向へのひねりも含めて可動する為、問題点を解決している。また、板材を複数本束ねただけでは十分な強度が得られないので布で連結する事により前後左右への自由なしなりを可能にした。又、板材を布で連結する事により十分な強度を有する事が実現できた。本考案のイスはソファーも含まれる。
【考案の効果】
【０００７】上述の様に本考案の四角柱のしなる板材（竹材もしくはしなりのある木、樹脂及びそれに類するもの）を布で複数本連結する事による「しなり」を利用したイスは、背もたれ内部のひとつひとつの板材が独立して動く事で、前後方向のしなり機能に加え左右方向に対するしなり機能が働き、背中にフィットしながらしなり、自然で適切な背もたれと座の角度を調節できる、各人の背中にぴったりとより沿うイスとなる。
【図面の簡単な説明】
【０００８】
【図１】本考案のしなる板材を布で連結する事による「しなり」を利用した体にぴったりと沿う背もたれを有するイスの三面図である。
【図２】本イスの背もたれの説明図である。上部が布でくるまれている状態で、下部が断面図である。四角柱のしなる板材を複数本並べて布でくるんだ部材である。
【図３】本イスの実地例を示す側面図である。前後方向に対するしなる機能の様子。
【図４】本イスの実地例を示す上面図である。左右方向に対するしなる機能の様子。
【考案を実施するための形態】
【０００９】以下、添付図面に従って形態を説明する。布袋６の内部は複数の縦長の袋状になっており、複数の四角柱のしなる板材５（竹材もしくはしなりのある木、樹脂及びそれに類するもの）をその袋状の中に差し込んで背もたれ１が形成されている。その背もたれ１をイスの本体３に差し込む事で、背もたれ１は座２より下部は固定されて動かず、背もたれ１の上部は板材のしなりが残る。ひとつひとつのしなる板材が独立して動く事で、前後に対するしなり機能だけではなく、左右に対するしなり機能を実現した。
【実施例】
【００１０】以下、添付図面に従って一実地例を説明する。図３は本イスの実地例を示す側面図である。背もたれ１の内部の四角柱のしなる板祠５のしなりによる前後方向に対するしなり機能の様子である。図４は本イスの実地例を示す上面図である。（図２で示している）布袋６の内部は複数の縦長の袋状になており、複数の四角柱のしなる板材５（竹材もしくはしなりのある木、樹脂及びそれに類するもの）をその袋状の中に差し込んで背もたれ１が形成されている。背もたれ１内部のひとつひとつの四角柱のしなる板材５が独立して動く事で、左右方向に対するしなり機能が働き、背中にフィットしながらしなり、自然で適切な背もたれと座の角度を調節できる、各人の背中にぴったりとより沿うイスとなる。
【符号の説明】
【００１１】１  背もたれ
２  座
３  イス本体
４  背もたれとイス本体とを固定するマジックテープ
５  四角柱のしなる板材
６  布袋
【図１】
0003186886.tif 000003
【図２】
0003186886.tif 000004
【図３】
0003186886.tif 000005
【図４】
0003186886.tif 000006
(57)【要約】      （修正有）【課題】簡単な構造と娯楽性が高い利点を持つ多機能帽子を提供する。【解決手段】帽子本体１、ラジオ４、ＭＰ３プレーヤー２、及び帽子本体１の上部に設置されたアンテナ３、帽子本体１の両側に設置された引き込み式ワイヤー５、引き込み式ワイヤー５に設置された制御スイッチ７と引き込み式ワイヤー５の末端に設置されたイヤホン６を含む。帽子本体１の上部にラジオＩＣとＭＰ３ＩＣを内蔵し、帽子本体１の両側に内蔵する引き込み式ワイヤー５に通じ、制御スイッチ７をコントロールする。【選択図】図１
0003186883.tif 000002
【実用新案登録請求の範囲】
【請求項１】
多機能帽子で、その特徴は：帽子本体、ラジオ、MP3プレーヤー、及び帽子本体の上部に設置されたアンテナ、帽子本体の両側に設置された引き込み式ワイヤー、引き込み式ワイヤーに設置された制御スイッチと引き込み式ワイヤーの末端に設置されたイヤホンを含む。
【考案の詳細な説明】
【技術分野】
【０００１】
本実用新案は帽子の分野に関与して、特に多機能帽子分野である。
【背景技術】
【０００２】
現在市場に出回っている帽子では、機能が単一で、防寒、防塵の効果しかなく、いくつかの欠陥が残っている。
【考案の概要】
【考案が解決しようとする課題】
【０００３】
本実用新案で解決しようとする技術問題とは、ある種の帽子、特に多機能帽子を提供したい。
【課題を解決するための手段】
【０００４】
本実用新案では、次の技術的な案を通して、実現したものである：この実用新案の多機能帽子は、帽子本体、ラジオ、MP3プレーヤー、及び帽子本体の上部に設置されたアンテナ、帽子本体の両側に設置された引き込み式ワイヤー、引き込み式ワイヤーに設置された制御スイッチと引き込み式ワイヤーの末端に設置されたイヤホンを含む。
【考案の効果】
【０００５】
本実用新案の有益な効果とは：帽子本体の上部にラジオICとMP3ICを内蔵し、帽子本体の両側に内蔵する引き込み式ワイヤーに通じ、制御スイッチをコントロールするため、本実用新案は簡単な構造と娯楽性が高い利点を持つ。
【図面の簡単な説明】
【０００６】
【図１】本実用新案多機能帽子の構造概略図である。
【考案を実施するための形態】
【０００７】
説明を容易にするために、本実用新案は次の具体的な実施例、及び添付図面で詳しく説明する。
【０００８】
図1の様に、本実用新案の多機能帽子は、帽子本体1、ラジオ4、MP3プレーヤー2、及び帽子本体1の上部に設置されたアンテナ3、帽子本体1の両側に設置された引き込み式ワイヤー5、引き込み式ワイヤー5に設置された制御スイッチ7と引き込み式ワイヤー5の末端に設置されたイヤホン6を含む。
【０００９】
本実用新案の有益な効果とは：帽子本体の上部にラジオICとMP3ICを内蔵し、帽子本体の両側に内蔵する引き込み式ワイヤーに通じ、制御スイッチをコントロールするため、本実用新案は簡単な構造と娯楽性が高い利点を持つ。
【００１０】
上記内容は、本実用新案の具体的な実施方式のみであり、本実用新案の保護範囲では、これに限定されるものではない。創造的な仕事をせず、思いついた任意の変更、また交換は、すべて本実用新案の保護範囲に覆われる。従って、本実用新案の保護範囲は、請求の範囲で限定された範囲に準じる。
【符号の説明】
【００１１】
1  帽子本体
2  MP3プレーヤー
3  アンテナ
4  ラジオ
5  引き込み式ワイヤー
6  イヤホン
7  制御スイッチ
【図１】
0003186883.tif 000003
【手続補正書】
【提出日】平成25年9月4日(2013.9.4)
【手続補正１】
【補正対象書類名】実用新案登録請求の範囲
【補正対象項目名】全文
【補正方法】変更
【補正の内容】
【実用新案登録請求の範囲】
【請求項１】
多機能帽子で、その特徴は：帽子本体、帽子本体の上部に設けられたラジオ及びMP3プレーヤー、及び帽子本体の上部に設置されたアンテナ、帽子本体の両側に設置された引き込み式ワイヤー、引き込み式ワイヤーに設置された制御スイッチと引き込み式ワイヤーの末端に設置されたイヤホンを含む。
(57)【要約】      （修正有）【課題】クランプを落下させる危険がなく、簡単に着脱できるクランプホルダを提供する。【解決手段】長方形のプラスチックの板に長い四角の穴１を長手方向に沿って開けてその穴にクランプ４のボルト５部分を入れる。クランプのボルト部分のナット６が穴にひっかかって落ちない。また、クランプを簡単に着脱することができる。【選択図】図３
0003186822.tif 000002
【実用新案登録請求の範囲】
【請求項１】
プラスチク等の板に長い四角のような穴をあげてグランプ等を収納したことを特徴とするグランプ収納用ホルダ
【請求項２】
ベルト通し穴を造成したこと特徴とする請求項１に記載のグランプ収納用ホルダ
【考案の詳細な説明】
【技術分野】
【０００１】    本考案はクランプを簡単に着脱できるように考案したホルダに関する
【背景技術】
【０００２】  建築現場の飛工等の作業人が足場を造成する時、クランプを収納するホルダがないことで、クランプを使用して単管足場等を固定するための時間が掛かり、作業能率が低下する原因となった。
【考案の概要】
【考案が解決しようとする課題】
【０００３】  上記の理由で作業人はクランプ等を自分の手でもって移動する等の過程で高所から落下して怪我の原因となった。
【課題を解決するための手段】
【０００４】  本考案は、プラスチク等の材料の板に長い四角の模様の穴を開けてその穴にクランプのボルト部分を入れることで上記の課題を解決するものである。
【考案の効果】
【０００５】  本考案は長い四角の穴に入れたクランプのボルト部分のナットが穴にひっかかって落ちないので、クランプを簡単に着脱することができる効果がある。
【図面の簡単な説明】
【０００６】
【図１】本考案に係るクランプホルダの側面図
【図２】本考案の正面図
【図３】図１の実施図
【図４】図２の実施図
【考案を実施する為の形態】
【０００７】  図１に示すように板に四角のような穴を開けて、クランプの収納部を造成する。
【符号の説明】
【０００８】１  グランプ収納部
２  収納部の入口
３  グランプの  離脱防止用阻止部
５  グランプ本体
６  ボルト
７  ナット
８  ベルト通し穴
0003186822.tif 000003
0003186822.tif 000004
0003186822.tif 000005
0003186822.tif 000006
0003186822.tif 000007
0003186822.tif 000008
0003186822.tif 000009
【手続補正書】
【提出日】平成25年6月6日(2013.6.6)
【手続補正１】
【補正対象書類名】明細書
【補正対象項目名】全文
【補正方法】変更
【補正の内容】
【考案の詳細な説明】
【技術分野】
【０００１】  本考案はクランプを簡単に着脱できるように考案したホルダに関する
【背景技術】
【０００２】  建築現場の鳶工等の作業人が足場を造成する時、クランプを収納するホルダがないことで、クランプを使用して単管足場等を固定するための時間が掛かり、作業能率が低下する原因となった。
【考案の概要】
【考案が解決しようとする課題】
【０００３】  上記の理由で作業人はクランプを自分の手でもって移動する等の過程で高所から落下して怪我の原因となった。
【課題を解決するための手段】
【０００４】  本考案は、プラスチクの材料の板に長い四角の模様の穴を開けてその穴にクランプのボルト部分を入れることで上記の課題を解決するものである。
【考案の効果】
【０００５】  本考案は長い四角の穴に入れたクランプのボルト部分のナットが穴にひっかかって落ちないので、クランプを簡単に着脱することができる効果がある。
【図面の簡単な説明】
【０００６】
【図１】本考案に係るクランプホルダの側面図
【図２】本考案の正面図
【図３】図１の実施図
【図４】図２の実施図
【考案を実施する為の形態】
【０００７】  図１に示すように板に四角のような穴を開けて、クランプの収納部を造成する。
【符号の説明】
【０００８】    １  クランプ収納部
２  収納部の入口
３  クランプの  離脱防止用阻止部
４  クランプ本体
５  ボルト
６  ナット
７  ベルト通し穴
【手続補正２】
【補正対象書類名】実用新案登録請求の範囲
【補正対象項目名】全文
【補正方法】変更
【補正の内容】
【実用新案登録請求の範囲】
【請求項１】
長方形のプラスチクの板に、クランプを収納するため、長い四角の穴を、前記プラスチクの長手方向に沿ってあけたことを特徴とするクランプ収納用ホルダ。
【請求項２】
前記プラスチクの板の１側の長辺から前記板の板面に対して垂直な方向へ延びるベルト通し穴用板を備え、前記ベルト通し穴用板にベルト通し穴を造成したことを特徴とするクランプ収納用ホルダ
【手続補正３】
【補正対象書類名】図面
【補正対象項目名】全図
【補正方法】変更
【補正の内容】
【図１】
0003186822.tif 000010
【図２】
0003186822.tif 000011
【図３】
0003186822.tif 000012
【図４】
0003186822.tif 000013
【手続補正書】
【提出日】平成25年8月8日(2013.8.8)
【手続補正１】
【補正対象書類名】実用新案登録請求の範囲
【補正対象項目名】全文
【補正方法】変更
【補正の内容】
【実用新案登録請求の範囲】
【請求項１】
長方形のプラスチクの板に、クランプを収納するため、長い四角の穴を、前記プラスチクの長手方向に沿ってあけて、その穴にクランプのボルト部分をいれるようにしたことを特徴とするクランプ収納用ホルダ。
【請求項２】
前記プラスチクの板の１側の長辺から前記板の板面に対して垂直な方向へ延びるベルト通し穴用板を備え、前記ベルト通し穴用板にベルト通し穴を造成したことを特徴とする請求項１に記載のクランプ収納用ホルダ
(57)【要約】      （修正有）【課題】保管時にはコンパクトであり、移動・組立てが容易で、場所を選ばず設置することができ、安全で快適な災害時等における避難所生活時の就寝場所（ベッド）を提供する。【解決手段】保管を考慮し製品を組立て式とする事で組立て前はコンパクトにする事にした。移動を考慮し製品を構成する基本素材を段ボールとする事で部品の軽量化を行った。安全面・快適性を考慮し段ボールベッドの強度をより高めるため発泡ブロックを併用することにした。また発泡ブロック部品３−１、３−２、３−３を使用することでの断熱効果と、段ボール部品２−１の構造体において喚起効率を上げるための通気孔を設け快適性を求めた。【選択図】図３
0003186821.tif 000002
【実用新案登録請求の範囲】
【請求項１】
段ボール及び発泡ブロック素材で構成されている事を特徴とする組立て式ベッド。
【請求項２】
前記、請求項１のベッドが段ボール及び発泡ブロック素材の組立て式であることから、製品の梱包サイズがコンパクトである事を特徴とする請求事項１記載のベッド。
【請求項３】
前記、請求項１のベッドが段ボール及び発泡ブロック素材の組立て式であることから、工具や接着剤を使用せずに組み立てられる事を特徴とする請求事項１記載のベッド。
【請求項４】
前記、請求項１のベッドが段ボール及び発泡ブロック素材を使用されている事で、就寝時の床との断熱性を確保した事を特徴とする請求事項１記載のベッド。
【請求項５】
前記、請求項１のベッドの床板及び内部芯材の段ボール素材に開口部を設けることによって、通気性を確保した事を特徴とする請求事項１記載のベッド。
【請求項６】
前記、請求項１のベッドが段ボール及び発泡ブロック素材であることで、製品自体の重量を軽減した事を特徴とする請求事項１記載のベッド。
【請求項７】
前記、請求項１のベッドが発泡ブロック素材を組み込むことで更なる強度をもたせ安全性を確保した事を特徴とする請求事項１記載のベッド。
【考案の詳細な説明】
【技術分野】
【０００１】本考案は組立て式段ボールベッドに関する。
【背景技術】
【０００２】従来、震災時などにおける避難所での生活において、就寝時に十分な場所が確保されず固い床面で直接寝るなど身体への負担が掛かるほか、気温の変化やホコリ・雑菌などの吸い込みにより健康状態を損ないやすくなっていました。しかし一般家庭のベッドは大型で重量もあり避難所という限られたスペースでは搬入することすら困難であったため十分な就寝場所の確保はごくわずかであり避難所での快適な就寝場所の確保と改善が望まれていた。
【考案の概要】
【考案が解決しようとする課題】
【０００３】本考案は、保管時にはコンパクトであり、軽量であるが故に移動を容易にし、場所を選ばず組立て設置することができるベッドの提供であり、安全で快適な就寝場所の提供にある。
【課題を解決するための手段】
【０００４】上記の課題を解決すべく本考案者らは鋭意検討した結果、上記の課題は次のような手段によって解決出来る事がわかった。
保管を考慮し製品を組立て式とする事で組立て前の状態はコンパクトにする事にした。
容易に組み立てられるよう工具や接着剤を必要としない段ボールと発泡ブロックの組立て式とした。
移動を考慮し製品を構成する基本素材を段ボールとする事で部品の軽量化を行った。
安全面を考慮し段ボールベッドの強度をより高めるため発泡ブロックを併用することにした。
また発泡ブロック部品を使用することでの断熱効果と、段ボール部品の構造体において喚起効率を上げるための通気孔を設け快適性を求めた。
【考案の効果】
【０００５】製品を組立て式とする事で組立て前の保管時は非常にコンパクトであり場所をとらず備蓄する事が可能となった。製品を構成する素材を段ボールと発泡ブロックとする事で部品自体の軽量化を図り運搬・移動を容易にした。また組立ての際の肉体的負担を軽減した。
安全面を考慮し発泡ブロックを使用することで段ボールベッドの強度をより増した。さらに発泡ブロックを使用したことにより床面との断熱性を増した。
段ボール素材の中芯において通気孔による空気の通り道を設けたことでベッド内に湿気をためにくくその結果劣化を防ぎ段ボール素材自体の耐久性を上げた。
【考案を実施するための形態】
【０００６】開梱前は任意の場所で保管・備蓄を行ない。必要時に開梱し組立てを行なう。組立ては段ボール部品から行ない発泡ブロック部品は組みあがった段ボールベッドの裏面より差込んで完成とする。完成したベッドは任意の場所に移動し使用する。なお使用を終えたときには発泡ブロック部品、段ボール部品はそれぞれ分別し処分を行なう。
【実施例】
【０００７】以下本考案を図面を用いて詳細に説明する。
梱包状態（図１）で倉庫等の任意の場所での保管、備蓄を行なう。
開梱し段ボール部品２−１〜２−６（図４）を組立てる。（図２）
発泡ブロック部品７〜９（図５）を発泡ブロック部品を組みあがった段ボールベッド（図２）を裏返して図１−３差し込む。（図３）
元に戻して（図２）任意の場所に移動して使用する。
【産業上の利用可能性】
【０００８】震災時における体育館などの避難場所での非常用就寝具として、コンパクトな梱包状態を生かし倉庫等での備蓄が可能となる。そして軽量である製品の特徴を生かした容易な組立て・移動。また発泡ブロックという素材を生かした床からの冷気の遮断。床板までの高さがある事で床のホコリや雑菌に直接触れることもなく、人体への悪影響を防ぐ快適な就寝場所が確保。使用後の分別処分も容易なことから一時的な就寝使用のために。
【図面の簡単な説明】
【０００９】
【図１】梱包状態の透視図です
【図２】組立て後の表面の透視図です
【図３】組立て後の裏面の透視図です
【図４】組立て前の段ボール部品の図面です
【図５】組立て前の発泡ブロック部品の透視図です
【符号の説明】
【００１０】１：梱包箱
２−１：段ボール部品  外枠（コーナー）
２−２：段ボール部品  外枠（直線）
２−３：段ボール部品  中芯（横）
２−４：段ボール部品  中芯（縦）
２−５：段ボール部品  床板（サイド）
２−６：段ボール部品  床板（センター）
３−１：発泡ブロック部品（大）
３−２：発泡ブロック部品（中）
３−３：発泡ブロック部品（小）
【図１】
0003186821.tif 000003
【図２】
0003186821.tif 000004
【図３】
0003186821.tif 000005
【図４】
0003186821.tif 000006
【図５】
0003186821.tif 000007
【手続補正書】
【提出日】平成25年2月22日(2013.2.22)
【手続補正１】
【補正対象書類名】実用新案登録請求の範囲
【補正対象項目名】全文
【補正方法】変更
【補正の内容】
【実用新案登録請求の範囲】
【請求項１】
段ボール素材で中芯・外枠・床板を組立て構成し、組込まれた中芯及び外枠の間に出来る空間に発泡ブロック素材を差し込むことで床板と床の間の空間が発泡ブロック素材で満たされる事を特徴とする組立て式ベッド。
【請求項２】
前記、請求項１のベッドの床板及び中芯・外枠の段ボール素材に開口部を設けることによって、通気性を確保した事を特徴とする請求事項１記載のベッド。
(57)【要約】      （修正有）【課題】新たに窓枠やサッシ戸を設置する必要がなく、防水と断熱の効果を持つ遮断網戸を提供する。【解決手段】網戸１に網戸を覆うように取り外しのできるパネル２をつけて、サッシ７との間に空気層を作る。サッシと網戸による二重構造を実現し、暴風雨による浸水の遮断、外気との断熱効果を高める。【選択図】図１
0003186830.tif 000002
【実用新案登録請求の範囲】
【請求項１】
網戸に取り外しのできるパネルを付けて雨や熱を、遮断することを特徴とする網戸
【請求項２】
室内から、簡単に取り付け取り外しができるように取手を取り付けたことを特徴とする戸
【考案の詳細な説明】
【技術分野】
【０００１】  本考案は、網戸で暴風雨による浸水の遮断や冷暖房時に外気との断熱をする。
【背景技術】
【０００２】  雨戸のついていない、既存のサッシだけの物件では、暴風雨時にサッシの隙間から浸水してくる場合があるので、新たな窓枠の設置やタオルなどで隙間を埋めて防水していた。
【考案の概要】
【０００３】  外気を取り込めるようにした網戸に、取り外しのできるパネルを取り付け、既存のサッシと網戸の間に空間を設けることで二重構造を実現し、暴風雨による浸水の遮断や、冷暖房時に外気との断熱効果を高めるためのものである。
【考案が解決しようとする課題】
【０００４】  既存のサッシの、内外に遮断層を設けるために、新たに窓枠を設けてサッシや雨戸を設置することで、出費が嵩む。
【課題を解決するための手段】
【０００５】  網戸にパネルを張りサッシとの間に遮断層を作る。
【考案の効果】
【０００６】  網戸を使うことで、新たに窓枠や、サッシ・雨戸を設置する必要がないから安価にできる
【図面の簡単な説明】
【０００７】
【図１】本考案の遮断層の実施例を示す立面図・側面図・断面図である
【図２】本考案の主要部の斜視図である
【実施例】
【０００８】  以下、添付図面に従って実施例を説明する。１と２は１０によって固定されており２と７の間に空間を作り暴風による浸水の遮断や外気との断熱効果を高める。４と５も１０によって固定されており５と８の間に空間を作り暴風による浸水や外気との断熱をする。５には６が１０によって固定されており、６をもって室内から４と５を９に取り付け、取り外しができる。１と２は１０によって固定されているが、暴風の遮断や、外気との断熱が必要ない場合は、１から２を取り外して、従来の網戸として使用する。
【符号の説明】  １  網戸Ａ
２  パネルＡ
３  網
４  網戸Ｂ
５  パネルＢ
６  取手
７  外側サッシ
８  内側サッシ
９  サッシ枠
１０  ボルト
【図１】
0003186830.tif 000003
【図２】
0003186830.tif 000004
【手続補正書】
【提出日】平成25年8月7日(2013.8.7)
【手続補正１】
【補正対象書類名】実用新案登録請求の範囲
【補正対象項目名】全文
【補正方法】変更
【補正の内容】
【実用新案登録請求の範囲】
【請求項１】
外気を取り込むために作成された網戸を覆うように、外気を遮断するための取り外しのできるパネルを取り付ける事により、既存のサッシとパネルを取り付けた網戸の間に、室内と外気から遮断された空気層を設けることができ、暴風雨の侵入の防止や室内と外気の断熱効果を高めることを特徴とする遮断網戸
【請求項２】
請求項１に記載の遮断網戸と、前記記載の網戸よって覆われない部分の窓を遮断する戸となる遮断網戸セットであって、前記の戸に、室内から取り付け取外しをするための取手を設けたことを特徴とする、遮断網戸セット
(57)【要約】      （修正有）【課題】色彩効果、並びにチューブ形状に沿った水泡が見え、宣伝、装飾器具となる装飾水槽を提供する。【解決手段】水を溜めた装飾水槽内に透明、あるいは着色された複数本の円筒状のチューブホース６を備え、チューブホースは電源プラグ９を備えたエアーポンプ８と配管７を通して接続される。また、水槽本体の天井部分にＬＥＤ照明器具２を設ける。電源を入れるとチューブホース内に気泡、水泡５が発生して上昇する。【選択図】図１
0003186827.tif 000002
【実用新案登録請求の範囲】
【請求項１】
水を貯めた装飾水槽（１）内に透明、あるいは着色された複数本の円筒状のチューブホース（６）を備え、チューブホースは電源プラグ（９）を備えたエアーポンプ（８）とを配管（７）を通して接続する。よってチューブホース内に水泡（５）を発生させて、その上昇、回流の連続動作をなす仕組みを備え、且つ渦巻形チューブホース（１１）、英文字のチューブほーす（１３）などの各種形状のチューブホースなどに加工してなる、チューブホース内に水泡を発生させる装置を備えたことを特徴として設備した装飾水槽。
【請求項２】
水槽本体の天井部分にＬＥＤ照明器具（２）を設置し、下に向けて照射することによって、水泡（５）はさらに光の輝度を増した装飾及び、広告宣伝物となる。
【考案の詳細な説明】
【技術分野】
【０００１】  本考案は、水を入れた水槽内に複数のチューブホースを立てて、それぞれのチューブホースは空気を送るエアーポンプと接続された複数の配管穴と繋ぎ、電源を入れると、各チューブホース内に水泡を発生させることを特徴とする装飾水槽である。
【背景技術】
【０００２】  本願考案の各チューブホースのなかにエアーポンプで発生させた水泡はチューブホースの上面まで到達し、空気に触れて消滅することを連続する。例えば金魚の泳ぐ水槽の水泡と同現象を繰り返すことで、水泡の動く模様は装飾ともなって人々を楽しませる。
本願考案は当該水泡を水槽の底から天井へ向かって縦列に装置させた複数本のチューブホースの内部を通って上昇させることを特徴とするものである。【０００３】  さらに、当該チューブホースの色の種類は、無色透明チューブの他に、赤色や、青色、黄色などをごく薄く着色しておけば、チューブホース内の水泡にも色が着いたように見えることで本願考案をいろんな設置場所や環境に応じたデイスプレイ演出が可能となる。例えば宝石店の外壁壁面に小さく開けたショーウインドウへ設置のサイズであれば本願考案品は縦、横、高さ、厚みが大学ノートサイズであったり、タブレット端末サイズ大で製作しての装飾水槽として活用出来る。さらにデパートやブテイックの大きなショーウインドウ、ならびに劇場の大きな舞台装飾としても利用価値がある。
【考案の概要】
【考案が解決しようとする課題】
【０００４】  チューブホースの形状、及びその配列構造におていも、円筒形の複数配列の他に、バルーンアート式で企業名や商品の名前などの文字形を表現した形状であり、水槽本体においても円柱形、四角形、縦長の三角柱形など、それらの設置場所に合わせてもしめる。【０００５】  各チューブホースには透明色での着色を為すことにより、水泡も色着されたように見えるため、色での広告表現も出来る。
水泡用の穴の形やサイズの大小や、穴の形状においてもは円型、楕円型、星型などを備え、水泡の大きさや形を、それぞれの用途によってコントロールさせるものとする。
【課題を解決するための手段】
【０００６】  ちなみに、舞台装置用としての設置あれば高さ５メートル、横幅１０メートル、厚み１０センチメートルなどの巨大装飾水槽の製造も可能である。
チューブホースの形状については、渦巻形であれば水泡は円を描いて回転上昇し、見る者にとって水泡の注目度が増大する。このように、本願考案によれば、さらに東京タワー形やスカイツリー形など、水槽の中に数本のチューブホースでそれらの形状に束ねて組み立てたタワーを大小製作し、水泡が上に向かって上昇する眺めは魅力的であり、お土産物としても以上のようなニーズに合わせた色々な形状の製作も出来る。
【考案の効果】
【０００７】  本願考案は個人の部屋装飾としてだけでなく、店舗やショーウインドウに設置しても美しいデイスプレイ効果を果たし、水槽本体の表面や背面に商品広告や、ＰＲメッセージを印刷、あるいは印刷した耐水シールを貼って宣伝するとにより、見物客へ企業イメージ及び商品宣伝効果も発生する。
【考案を実施するための形態】
【０００８】  以下、本願考案の円筒状のチューブホース内に水泡を発生させる装置を備えた装飾水槽をその実施の最良の形態について図面に示す実施例に基ずいて具体的に説明する。
【図面の簡単な説明】
【０００９】
【図１】  本願考案にＬＥＤ照明器具を設けた上蓋を設置し、水を入れた状態でチューブホース内に水泡が発生した実施例を示した正面図である。
【図２】  本願考案の斜視図である。
【図３】  本願考案の側面図である。
【図４】  本願考案に水を入れ、一部分を着色した渦巻形を為したチューブホース内外に水泡を発生させた正面図である。
【図５】  本願考案に英文字を為したチューブホースから水泡を発生をさせていることを示す正面図である。
【符号の説明】
【００１０】１・・・・・・・・・・装飾水槽本体
２・・・・・・・・・・ＬＥＤ照明器具
３・・・・・・・・・・上蓋
４・・・・・・・・・・水
５・・・・・・・・・・水泡
６・・・・・・・・・・チューブホース
７・・・・・・・・・・配管
８・・・・・・・・・・エアーポンプ
９・・・・・・・・・・電源プラグ
１０・・・・・・・・・印刷を施した耐水シール
１１・・・・・・・・・渦巻形チューブホース
１２・・・・・・・・・着色部
１３・・・・・・・・・英文字のチューブホース
【図１】
0003186827.tif 000003
【図２】
0003186827.tif 000004
【図３】
0003186827.tif 000005
【図４】
0003186827.tif 000006
【図５】
0003186827.tif 000007
【手続補正書】
【提出日】平成25年8月9日(2013.8.9)
【手続補正１】
【補正対象書類名】実用新案登録請求の範囲
【補正対象項目名】全文
【補正方法】変更
【補正の内容】
【実用新案登録請求の範囲】
【請求項１】
水を溜めた装飾水槽内に透明、あるいは着色された複数本の円筒状のチューブホースを備え、該チューブホースは電源プラグを備えたエアーポンプと配管を通して接続されていることを特徴とする装飾水槽。
【請求項２】
水槽本体の天井部分にＬＥＤ照明器具をさらに有する請求項１に記載の装飾水槽。
(57)【要約】      （修正有）【課題】地震による石を積み重ねただけの構造の墓石や石碑の転倒を防止する為に石の内部より差込み全体を固定する耐震棒を提供する。【解決手段】何層か石を積み重ねてなる墓石において、最上部墓石は底面中央に固定金具を挿入できる垂直方向の穴を明け、また中間墓石はそれぞれの中央に垂直に貫通穴を明けて下部よりパイプと管継手からなる棒状金具を挿し通して最上部墓石内で拡大固定させ、納骨室１上部つまり墓石最下部でナット２締めして積み重ねられた墓石全体を連結一体化させる。【選択図】図１
0003186824.tif 000002
【実用新案登録請求の範囲】
【請求項１】
地震による墓石や石碑の倒壊を防ぐ固定金具
【考案の詳細な説明】
【考案の詳細な説明】
【産業上の利用分野】
【０００１】本考案は地震による石を積み重ねただけの構造の墓石や石碑の転倒を防止する為に石の内部より差込み全体を固定する金具である。
【背景技術】
【０００２】従来、墓石の中央部に穴を明け丸棒金具を立て隙間にゴムを詰め込み穴を明けた重い墓石を上部より垂直に挿入していた。
【考案が解決しようとする課題】
【０００３】  金具と穴との隙間に詰められているゴムは経年変化で劣化し防振の機能は失われる。また立てられた金具の上部より重い墓石を垂直に挿入する為、重機などを使用しないと組付ける事が容易でなかった。
【課題を解決するための手段】
【０００４】  これを解決する為に重い墓石を積み重ねておいてから後で下部空間（納骨室）より短いパイプ状の金具を組付けながら上部に伸ばし最上部で穴に喰い付く様金具を拡大させ最下部で墓石とナットで締め付け積み重ねた墓石全体を固定する。また最上部で拡大させた金具は収縮できる構造の為取り外しも出来る。
【作用】
【０００５】  耐震棒はステンレス製であり経年変化も少なくガタもなく長期間に亘り固定力が保たれる。金具の先端は穴の段差に引掛けてあるのではなく拡大する構造の為、大きな振動でも外れることはない。
【実施例】
【０００６】墓石の上部内側に挿入された金具はパイプ状の為、下部より内側に工具を差込み先端テーパー螺子を回転させ押し込む事により墓石の穴の内径部に丸棒が放射状に移動して喰い付く（図２）また金具の最下部は螺子になっている為ナットを締付ける事で重なった石全体を締め付け一体化する。
【考案の効果】
【０００７】積み上げられた墓石全体が上部から基礎部迄固定させる事により大きな振動でも倒壊しない耐震構造となる。
またステンレス製の為耐食性も高く長期で固定力が保持できる。
【図面の簡単な説明】
【図１】耐震棒を墓石に組み込んだ時の側面図である。
【図２】耐震棒の最上部金具の作動を示す側面図及び平面図である。
【符号の説明】１  納骨室
２  ナット
３  パイプ状金具
４  丸棒
５  先端テーパー螺子
【図１】
0003186824.tif 000003
【図２】
0003186824.tif 000004
【手続補正書】
【提出日】平成25年8月14日(2013.8.14)
【手続補正１】
【補正対象書類名】実用新案登録請求の範囲
【補正対象項目名】全文
【補正方法】変更
【補正の内容】
【実用新案登録請求の範囲】
【請求項１】
何層か石を積み重ねてなる墓石において最上部墓石は底面中央に固定金具を挿入できる垂直方向の穴を明けまた中間墓石はそれぞれの中央に垂直に貫通穴を明けて下部よりパイプと管継手からなる棒状金具を挿し通して最上部墓石内で拡大固定させ納骨室上部つまり墓石最下部でナット締めして積み重ねられた墓石全体を連結一体化させる耐震棒。
(57)【要約】      （修正有）【課題】靴の内面のデザインにおいて、靴の中敷きのみで限られた表現しか図柄・商標を表現できなかったものをより大きく深く表現できる靴を提供する。【解決手段】図柄又は商標を印刷及び張り合わせ・縫製してなる内裏と、図柄又は商標とともに一体的な模様を形成する図柄又は商標を印刷及び張り合わせ・縫製してなる中敷とを設け、印刷及び張り合わせ・縫製された図柄又は商標が連続して一体的な模様を形成するよう内裏と中敷とを内面に配置してなる。図柄・商標の一部を靴の中敷きに残りの部分を靴の内裏で連続させることで、より自由に大きく使うことができるようになる。それにより視覚を通じて従来に比べ大きく深い造型を表現することが可能になる。【選択図】図１
0003186828.tif 000002
【実用新案登録請求の範囲】
【請求項１】
靴において中敷きと内裏を連続して図柄・商標を構成し、表現した靴内面。
【請求項２】
靴の片足の内面で図柄は完成しているが、靴を一足で並べたとき視覚的に一つの図柄として表現できる請求項１に記載の靴内面。
【考案の詳細な説明】
【技術分野】
【０００１】  本考案は靴の中敷きだけではなく、靴の内裏と共に１つの図柄を構成する物。
【背景技術】
【０００２】  従来は靴の中敷きのみで図柄・商標を表現しており、限られた表現しかできなかった。
【考案が解決しようとする課題】
【０００３】  本考案は靴の中敷と内裏を連続させて、１つの図柄を構成し、それにより視覚を通じて従来に比べ大きく深い造型を表現する。
【課題を解決するための手段】
【０００４】  今までの靴の中敷き上でのみ図柄・商標を表現するものとは違い、靴の中敷きと内裏を一体として捉え、図柄・商標の一部を靴の中敷きに残りの部分を靴の内裏で連続し一体として表現することで、より自由に大きく使うことができ、様々な表現をすることが可能になり、前記課題を解決することができる。
【０００５】  連続した図柄・商標を製法上ずれることなく緻密に作成していくものである。
【０００６】  表現できる範囲が広がることにより、トランプ柄を代表とする色々な図柄・動植物・色々な造形物（船・列車・飛行機・カップなど）を印字・プリントなどを加味し、アレンジしてより深く豊かな表現ができる。
【図面の簡単な説明】
【０００７】
【図１】斜視図。
【０００８】
【図２】図柄のバリエーションの一例の平面図。
【０００９】
【図３】靴内面の使い方の一例図。
【００１０】
【図４】実用新案登録請求の範囲の請求項２の一例図。
【図１】
0003186828.tif 000003
【図２】
0003186828.tif 000004
【図３】
0003186828.tif 000005
【図４】
0003186828.tif 000006
【手続補正書】
【提出日】平成25年8月14日(2013.8.14)
【手続補正１】
【補正対象書類名】実用新案登録請求の範囲
【補正対象項目名】全文
【補正方法】変更
【補正の内容】
【実用新案登録請求の範囲】
【請求項１】
図柄又は商標を印刷及び張り合わせ・縫製してなる内裏と、前記図柄又は商標とともに一体的な模様を形成する図柄又は商標を印刷及び張り合わせ・縫製してなる中敷とを設け、印刷及び張り合わせ・縫製された図柄又は商標が連続して一体的な模様を形成するよう前記内裏と中敷とを内面に配置してなる事を特徴とする靴。
【請求項２】
印刷及び張り合わせ・縫製された図柄又は商標が連続して一体的な模様を形成するよう内裏と中敷とを内面に配置してなる右足用靴と、前記印刷及び張り合わせ・縫製された図柄又は商標が連続して一体的な模様を形成するよう前記内裏と中敷とを内面に配置してなる左足用靴のセット。
(57)【要約】      （修正有）【課題】花や鳥などのモチーフが誰でも簡単に、しかも何枚編んでも均一に編めるモチーフ作成セットを提供する。【解決手段】毛糸、手芸糸で花、鳥などのニットモチーフを編む際、だれでも簡単に形と寸法が指定通りに編めるように、仮糸と毛糸又は手芸糸と板状の塩化ビニール製のモチーフネットからなり、モチーフネットは編もうとする絵柄がその形状になっている。【選択図】図１
0003186823.tif 000002
【実用新案登録請求の範囲】
【請求項１】
毛糸、手芸糸で花、鳥などのニットモチーフを編む際、だれでも簡単に形と寸法が指定通りに編める様うに工夫をしたニットモチーフネット（塩化ビニール製）。
【考案の詳細な説明】
【技術分野】
【０００１】編み物の花や鳥柄のモチーフを編む技術に関する分野。
【背景技術】
【０００２】従来から細い毛糸、手芸糸を１目１目かぎ針でモチーフを編むので、同じ人が編んでも２枚目は同形、同寸には編めない、編み物はかなりの専門知識と熟練の技が必要。
【考案の概要】
【考案が解決しようとする課題】
【０００３】編み物かなりの専門知識と熟練が必要なので、編み物人口が著しく減少し毛糸、手芸業界は産業として成立しないほど衰退している。
【課題を解決するための手段】
【０００４】そこで花や鳥のニットモチーフが誰でも簡単に、しかも何枚編んでも同形、同寸法に編めるようなニットモチーフ用ネットを考案した。
【考案の効果】
【０００５】この編み物用具を用いると、編み物の経験のない老若男女だれでも簡単に花や鳥のニットモチーフをあんでセーター、帽子、バックにつけて楽しむことができるので編み物人口が飛躍的に増加し、毛糸、手芸業界に大きく貢献できる。
【図面の簡単な説明】
【０００６】
【図１】  花柄ニットモチーフ＝Ｍ  寸  材質＝塩化ビニール
【考案を実施するための形態】
【０００７】［図２］  編み方
【実施例】
【０００８】［図３］
仮糸を編む。  仮糸に本材料で平編みでモチーフを編む。
【産業上の利用の可能性】
【０００９】この編み物用具を使うと、ニットモチーフが誰でも規格通りに編めるので、それをセーター、帽子、バックなどにつけて楽しめる、又高齢者の機能回復作業にも役立ち編み物、手芸フアンのすそ野を広げて業界に大きく貢献できる。
【符号の説明】
【００１０】１    ６ｃｍ
２    ６ｃｍ
３    ３ｍｍ
【図１】
0003186823.tif 000003
【図２】
0003186823.tif 000004
【図３】
0003186823.tif 000005
【手続補正書】
【提出日】平成25年6月11日(2013.6.11)
【手続補正１】
【補正対象書類名】実用新案登録請求の範囲
【補正対象項目名】全文
【補正方法】変更
【補正の内容】
【実用新案登録請求の範囲】
【請求項１】
毛糸、手芸糸で花、鳥などのニットモチーフを編む際、だれでも簡単に形と寸法が指定通りに編めるように、仮糸と毛糸又は手芸糸と板状の塩化ビニール製のモチーフネットからなるもので、モチーフネットは編もうとする絵柄がその形状になっているモチーフ作成ネット。
【手続補正２】
【補正対象書類名】明細書
【補正対象項目名】０００６
【補正方法】変更
【補正の内容】
【０００６】
【図１】花柄ニットモチーフ＝Ｍ寸  材質＝塩化ビニール
【図２】編み方
【図３】仮糸を編む  仮糸に本材料で平編みでモチーフを編む。
【手続補正書】
【提出日】平成25年8月13日(2013.8.13)
【手続補正１】
【補正対象書類名】実用新案登録請求の範囲
【補正対象項目名】全文
【補正方法】変更
【補正の内容】
【実用新案登録請求の範囲】
【請求項１】
毛糸、手芸糸で花、鳥などのニットモチーフを編む際、だれでも簡単に形と寸法が指定通りに編めるように、仮糸と毛糸又は手芸糸と板状の塩化ビニール製のモチーフネットからなるもので、モチーフネットは編もうとする絵柄がその形状になっているモチーフ作成セット。
(57)【要約】      （修正有）【課題】ダムや貯水池等の水源又は放流河川等がない場所でも、不滅で安価な水力エネルギーを活用したポンプ発電ができる水力又は液体エネルギー活用ポンプ発電装置を提供する。【解決手段】吸引流路管と、吐出流路管と、吸引流路管側から水を吸い込み、吐出流路管側へ吐き出すポンプ６と、吸引流路管と吐出流路管の双方に発電機能が付いたタービン５，７を備え、ポンプ６からの液流によりタービン５，７を廻して発電させる。発電機の駆動源を、ダムの高−低差の落下力から、ポンプ６が行う吸って横へ吐き出す作用力に変えることにより生じる用途別変化率を活用した。【選択図】図１
0003186826.tif 000002
【実用新案登録請求の範囲】
【請求項１】
一方の口から吸い込み別の口から吐き出す、ポンプ作用の吐出流通路管側と吸引流通路側に発電機が付いたタービンを設けて廻し、生じた電気の取得目的権に係る一切の装置。
【考案の詳細な説明】
【技術分野】
【０００１】この考案は、水力を含む液体エネルギー新活用ポンプ発電装置です。
【背景分野】
【０００２】  従来、水力発電の起電エネルギーは、広大なダム又は池等に貯めた水が高所から低所へ流れ落る際に生ずる落下力で発電機付きのタービンを廻して、生れた電気を取得してきたが、放流元から海まで長距離間の河川管理義務等に係る諸問題や広大な所要面積の取得・送電鉄塔建設・環境に係る問題などがあって、水力発電事業への参入は困難な状態であった。
【考案の開示】
【考案が解決しようとする課題】
【０００３】  この考案は、ダムや貯水池等の水源又は放流河川等がない場所でも、不滅で安価な水力エネルギーを活用したポンプ発電事業へ参入のチャンスが増すよう開発した装置です。
【課題を解決するための手段】
【０００４】  水を含む液体・気体を移動する道具として作られたポンプの真上へ大気圧を超えて突き揚げる揚程作用力を横方向へ変更することによって発生する用途別変化率を充当する。
【考案の効果】
【０００５】  １、ポンプ発電は、発電機を回し終わった水の放流０・燃料及び燃焼皆無・燃料０の効果。
２、環境汚染に係るＣＯ２や核排出０のため人畜無害等が、目視現認できる開示効果。
３、ダムや水源・落差不用のため、何処でも容易に発電所が即開設できる効果の発揮。
４、不滅で安価な水力エネルギー活用発電事業に参入のチャンス増大効果。
５、建物内管理が容易であるため目配り・気配りが行き届くこと及び長持ち等の効果発揮。
６、コストパフォマンスが高いため、安定経営が出来る効果の発揮。
７、計画的に作り、機械的に管理運営できる安定発電効果の発揮等の特長。
【考案を実施するための最良の形態】
【０００６】・ダム発電・火力発電・原子力発電等が起こした従来の電力（ｋｗｈ）＝電圧（Ｖ）×電流（Ａ）。
・ポンプ発電が起こした電力（ｋｗｈ）＝電圧（Ｖ）×電流（Ａ）及びサイクル共に、同質同類同格。
・ポンプ発電に用いる発電機は、ダム発電・火力発電・原子力発電等と同機種使用の形態。
・風・雨や昼・夜及びエネルギー源の枯渇に係りなく２４時間安定発電する室内管理方式。
・ポンプ発電装置＝関東から関西へその逆も，電気の高効率な融通取引用機器となる形態。
・ダム・長い勾配＋落差＋広大な土地＋送電鉄塔等が不要の建物内収容安全管理形態。
・不滅で安価な水をポンプで発電機を回すエネルギーに変えて電気を起こす発電形態。
【図面の簡単な説明】
【０００７】
【図１】  本考案の平面図。
【符号の説明】
【０００８】  １、備蓄槽。
２、大気と液面の境界線。
３、吐出液流路管。
４、吐出液横へ流通路。
５、タービンと発電機。
６、ポンプ。
７、タービンと発電機。
８、吸引液流通路。
【図１】
0003186826.tif 000003
【手続補正書】
【提出日】平成25年6月21日(2013.6.21)
【手続補正１】
【補正対象書類名】実用新案登録請求の範囲
【補正対象項目名】全文
【補正方法】変更
【補正の内容】
【実用新案登録請求の範囲】
【請求項１】
一方の口から吸い込み、別の口から吐き出すポンプ横引き力を持つ吸引流路管側と、吐出流路管側双方に、発電機能が付いたタービンを設けて廻すことにより増大した構造の発電力と、絶え間なく往来発電する仕組みで構成する燃料不用及びＣＯ２無排出のポンプ発電装置。
【手続補正書】
【提出日】平成25年8月16日(2013.8.16)
【手続補正１】
【補正対象書類名】実用新案登録請求の範囲
【補正対象項目名】全文
【補正方法】変更
【補正の内容】
【実用新案登録請求の範囲】
【請求項１】
吸引流路管と、吐出流路管と、吸引流路管側から水を吸い込み、吐出流路管側へ吐き出すポンプと、吸引流路管と吐出流路管の双方に発電機能が付いたタービンを備え、ポンプからの液流によりタービンを廻して発電させることを特徴とするポンプ発電装置。
(57)【要約】      （修正有）【課題】動作が不自由な人が自力で楽な姿勢で簡単に履く事ができる、或いは介助者が容易く履かせる事ができる靴下を提供する。【解決手段】左右、それぞれの靴下３に２か所、或いは数か所に靴下を履く為に持ちあげるのに指をいれるのに便利な袋状の穴４を靴下３と一体型で作成することとした。【選択図】図１
0003186861.tif 000002
【実用新案登録請求の範囲】
【請求項１】
履き口の口ゴム部につま先から履き口に向かって左右の２か所又は数か所の袋状の穴を設けて成り、着用に際し指を袋状の穴に差し入れ引き上げることを特徴とした簡便装着靴下。
【請求項２】
靴下の作成時に一体型として形成した請求項１の記載の簡便装着靴下。
【考案の詳細な説明】
【技術分野】
【０００１】本考案は体の動作が不自由な人とか、自分で履く事が出来にくい幼児に容易に履かせることができる靴下に関する。
【背景技術】
【０００２】特許文献１には両手を使わずに片手の操作で比較的簡単に着脱できるような靴下を考案し開示されている。
特許文献２には靴下を履くことが困難な人が自分で操作して靴下を履く補助具を考案して開示されている。
本考案は体の動作が不自由な人、自分で履くことが出来にくい幼児に介助者にも自分自身にも容易に履けるように靴下そのものに指を差し入れる袋状の穴を設けた靴下である。
【先行技術文献】
【特許文献】
【０００３】
【特許文献１】実用新案登録第３０６４１６７号公報
【特許文献２】実用新案登録第３１７１４５２号公報
【考案の概要】
【考案が解決しようとする課題】
【０００４】上記の通り、特許文献１の靴下は片手で引き上げるために持ち手を１ケ付けて容易に履けるように発明されているし、特許文献２は靴下を容易に履く為に補助器具を使用するように発明されている、しかし介助者がいる人とか幼児にはかえって履かせにくいし、器具を使用することも困難ではないかと思われる。【０００５】本明細書で開示する技術は、上記の課題を解決するために考案されたものである。
本明細書では、介助者が体の不自由な人或るいは幼児に容易に履かせる事のできる靴下を提供する。
【課題を解決するための手段】
【０００６】本明細書が開示する簡便装着靴下は履き口のゴム部分に新しい発想で左右２か所、或いは数か所に靴下と一体型で作成した袋状の穴を設けたものである。【０００７】上記の、簡便装着靴下は靴下本体と一体型で作成された袋状の穴に指を差し入れて履き口ゴム部を引き上げて介助者が体の不自由な人、または幼児に容易く履かせることができる。
【考案の効果】
【０００８】本考案の簡便装着靴下は自分自身でももちろん履きやすく、介助者が従来のものではやりにくかった体の不自由な人に触れることなく容易く履かせることができ、または活発に動き回る幼児の足に容易く履かせることができる。【０００９】本考案の簡便装着靴下は従来の靴下と同等のコストでできて優れた効果が発揮できる靴下である。
【図面の簡単な説明】
【００１０】
【図１】本考案を靴下に適用した斜視図
【図２】本考案を使用した状態を示す左斜視図
【図３】本考案を使用した状態を示す右斜視図
【図４】本考案を長靴下に適用した斜視図
【図５】本考案を幼児用に適用した斜視図
【考案を実施するための形態】
【実施例】
【００１１】本実施例に係る簡便装着靴下について図面を参照しながら説明する。図１に示す本考案の簡便装着靴下は靴下の履き口ゴム部と本体部に一体化された袋状の穴で構成されて出来ている。【００１２】図２は足に靴下を履かせた状態をあらわしている、介助者が靴下の両側に一体化された袋状の穴に指を差し入れて履かせるのに都合よく袋状の穴が用意されている。【００１３】図４は本考案の簡便装着靴下は長靴下にも利用できるし、図５の幼児用靴下にも靴下に一体化された袋状の穴を用意する事で容易に履かせたり、自分で履いたりすることができる。
【符号の説明】
【００１４】１  本考案の簡便装着靴下
２  履き口ゴム部
３  靴下本体部
４  履き口ゴム部と靴下本体部に一体化された袋状の穴
５  簡便装着長靴下
６  長靴下本体部
７  幼児用簡便装着靴下
８  幼児用靴下本体部
【図１】
0003186861.tif 000003
【図２】
0003186861.tif 000004
【図３】
0003186861.tif 000005
【図４】
0003186861.tif 000006
【図５】
0003186861.tif 000007